(57)【要約】【課題】  必要とされるハードウェアコンポーネントの個数を削減し、製造コストを低減することができるオーディオ・ビデオ信号送受信処理装置を提供する。【解決手段】  ＡＶ信号送受信処理装置２０は、ＡＶ復号器２１と、ブリッジ２２と、ＰＣＭＣＩＡ、カードバス、又は高速カードバス・インターフェースであるバスインターフェース２３とを備える。ＡＶ復号器２１は、アナログビデオ信号及び対応するアナログオーディオ信号を受信し、これに応じて、第１のディジタルビデオ信号及び対応する第１のディジタルオーディオ信号を出力する。ブリッジ２２は、第１のディジタルビデオ信号及び第１のディジタルオーディオ信号を受信し、バスインターフェース標準規格に準拠した第２のビデオ信号及び第２のオーディオ信号を、バスインターフェース標準規格に準拠したバスインターフェース２３を介してコンピュータ２４に対して出力する。【選択図】  図２
2005236932.tif 000002
【特許請求の範囲】
【請求項１】
アナログビデオ信号及び対応するアナログオーディオ信号を受信し、第１のディジタルビデオ信号及び対応する第１のディジタルオーディオ信号を出力するためのオーディオ・ビデオ復号手段と、
上記第１のディジタルビデオ信号及び上記第１のディジタルオーディオ信号を受信し、バスインターフェース標準規格に準拠した第２のビデオ信号及び第２のオーディオ信号を、上記バスインターフェース標準規格に準拠したバスインターフェースを介してコンピュータに対して出力するためのブリッジとを備え、
上記バスインターフェースは、ＰＣＭＣＩＡ、カードバス、又は高速カードバス（Express Card Bus）・インターフェースであること
を特徴とするオーディオ・ビデオ信号送受信処理装置。
【請求項２】
上記コンピュータは、受信した上記第２のビデオ信号及び上記第２のオーディオ信号を第３のディジタルオーディオ・ビデオ信号に符号化すること
を特徴とする請求項１記載のオーディオ・ビデオ信号送受信処理装置。
【請求項３】
上記第３のディジタルオーディオ・ビデオ信号は、Ｍｐｅｇ２・オーディオ・ビデオ信号であること
を特徴とする請求項２記載のオーディオ・ビデオ信号送受信処理装置。
【請求項４】
上記オーディオ・ビデオ復号手段は、受信したアナログオーディオ信号を、少なくともアナログ右チャンネル・オーディオ信号及びアナログ左チャンネル・オーディオ信号に復号し、上記アナログ右チャンネル・オーディオ信号及び上記アナログ左チャンネル・オーディオ信号を、ディジタル左右チャンネル・オーディオ信号に変換してから上記ブリッジに対して出力すること
を特徴とする請求項１記載のオーディオ・ビデオ信号送受信処理装置。
【請求項５】
アナログテレビジョン・オーディオ・ビデオ信号を受信し、同調された場合に上記アナログビデオ信号及び上記アナログオーディオ信号を上記オーディオ・ビデオ復号手段に対して出力するためのチューナをさらに備えること
を特徴とする請求項１記載のオーディオ・ビデオ信号送受信処理装置。
【請求項６】
上記アナログビデオ信号は、アナログＳビデオ信号であり、
上記アナログオーディオ信号は、上記アナログＳビデオ信号に対応するアナログ右チャンネル・オーディオ信号及びアナログ左チャンネル・オーディオ信号を少なくとも含むこと
を特徴とする請求項１記載のオーディオ・ビデオ信号送受信処理装置。
【請求項７】
上記アナログビデオ信号は、アナログＶビデオ信号であり、
上記アナログオーディオ信号は、上記アナログＶビデオ信号に対応するアナログ右チャンネル・オーディオ信号及びアナログ左チャンネル・オーディオ信号を少なくとも含むこと
を特徴とする請求項１記載のオーディオ・ビデオ信号送受信処理装置。
【請求項８】
上記ブリッジは、さらに、上記オーディオ・ビデオ復号手段とは異なるディジタル信号ソースから第４のディジタルオーディオ・ビデオ信号を受信し、上記第４のディジタルオーディオ・ビデオ信号を、上記バスインターフェース標準規格に準拠した第５のディジタルオーディオ・ビデオ信号に変換可能であり、上記第５のディジタルオーディオ・ビデオ信号を、上記バスインターフェースを介して上記コンピュータに対して出力すること
を特徴とする請求項１記載のオーディオ・ビデオ信号送受信処理装置。
【請求項９】
上記第４のディジタルオーディオ・ビデオ信号は、トランスポートストリームオーディオ・ビデオ信号、Ｍｐｅｇ２・オーディオ・ビデオ信号、又は任意の他のタイプのディジタルオーディオ・ビデオ信号を含むこと
を特徴とする請求項８記載のオーディオ・ビデオ信号送受信処理装置。
【請求項１０】
上記ブリッジは、さらに、上記オーディオ・ビデオ復号手段とは異なるディジタル信号ソースから第１のディジタル放送信号を受信し、上記第１のディジタル放送信号を、上記バスインターフェース標準規格に準拠した第２のディジタル放送信号に変換可能であり、上記第２のディジタル放送信号を、上記バスインターフェースを介して上記コンピュータに対して出力すること
を特徴とする請求項１記載のオーディオ・ビデオ信号送受信処理装置。
【請求項１１】
上記オーディオ・ビデオ復号手段は、さらに、アナログ放送信号を受信し、これに応じて、ディジタル放送信号を上記ブリッジに対して出力可能であること
を特徴とする請求項１記載のオーディオ・ビデオ信号送受信処理装置。
【請求項１２】
アナログ周波数変調放送信号を受信し、同調された場合に上記アナログ放送信号を出力するためのチューナをさらに備えること
を特徴とする請求項１１記載のオーディオ・ビデオ信号送受信処理装置。
【請求項１３】
上記コンピュータは、デスクトップ型コンピュータ、又はノートブック型コンピュータであること
を特徴とする請求項１記載のオーディオ・ビデオ信号送受信処理装置。
【請求項１４】
上記アナログオーディオ信号は、アナログ右チャンネル・オーディオ信号及びアナログ左チャンネル・オーディオ信号を含むこと
を特徴とする請求項１記載のオーディオ・ビデオ信号送受信処理装置。
【請求項１５】
第１のディジタルオーディオ・ビデオ信号を受信し、上記第１のディジタルオーディオ・ビデオ信号を、バスインターフェース標準規格に準拠した第２のディジタルオーディオ・ビデオ信号に変換するためのブリッジを備え、
上記第２のディジタルオーディオ・ビデオ信号は、上記バスインターフェース標準規格に準拠したバスインターフェースを介してコンピュータに対して出力され、
上記バスインターフェースは、ＰＣＭＣＩＡ、カードバス、又は高速カードバス（Express Card Bus）・インターフェースであること
を特徴とするオーディオ・ビデオ信号送受信処理装置。
【請求項１６】
上記第１のディジタルオーディオ・ビデオ信号は、トランスポートストリームオーディオ・ビデオ信号、Ｍｐｅｇ２・オーディオ・ビデオ信号、又は任意の他のタイプのディジタルオーディオ・ビデオ信号を含むこと
を特徴とする請求項１５記載のオーディオ・ビデオ信号送受信処理装置。
【請求項１７】
上記コンピュータは、デスクトップ型コンピュータ、又はノートブック型コンピュータであること
を特徴とする請求項１５記載のオーディオ・ビデオ信号送受信処理装置。
【請求項１８】
第１のディジタル放送信号を受信し、上記第１のディジタル放送信号を、バスインターフェース標準規格に準拠した第２のディジタル放送信号に変換するためのブリッジを備え、
上記第２のディジタル放送信号は、上記バスインターフェース標準規格に準拠したバスインターフェースを介してコンピュータに対して出力され、
上記バスインターフェースは、ＰＣＭＣＩＡ、カードバス、又は高速カードバス（Express Card Bus）・インターフェースであること
を特徴とするオーディオ・ビデオ信号送受信処理装置。
【請求項１９】
上記コンピュータは、デスクトップ型コンピュータ、又はノートブック型コンピュータであること
を特徴とする請求項１８記載のオーディオ・ビデオ信号送受信処理装置。
【発明の詳細な説明】
【技術分野】
【０００１】
本発明は、一般に、オーディオ・ビデオ信号送受信処理装置に関し、特に、受信したアナログビデオ信号及びアナログオーディオ信号を、ディジタルビデオ信号及びディジタルオーディオ信号に復号し、それらをコンピュータに対して出力するオーディオ・ビデオ信号送受信処理装置に関する。
【背景技術】
【０００２】
近年の高度技術時代においては、コンピュータは、現代の人々の日常生活に不可欠のものとなっている。コンピュータは、ディジタルオーディオ・ビデオ（audio-video；以下、ＡＶという。）信号のみを再生することができることから、テレビジョン（television；ＴＶ）局からのアナログ信号は、コンピュータ上で直接再生することはできない。したがって、いくつか製造業者は、アナログ信号をコンピュータ上で再生することができるディジタル信号に変換することができるＡＶ信号送受信（transceiving）処理装置を開発している。
【０００３】
最近、広く用いられているＡＶ信号送受信処理装置は、テレビジョンキャプチャカード（TV capture cards）とも称されるテレビジョンチューナカード（TV tuner cards）である。ユーザは、テレビジョンチューナカードを所持していることにより、コンピュータのモニタ上でテレビジョン信号を鑑賞することができる。しかしながら、通常のテレビジョンチューナカードは、ＰＣＩ（Peripheral Component Interconnect）・インターフェースを備えている。ＰＣＩ・インターフェースは、主としてデスクトップ型パーソナルコンピュータ（personal computer；ＰＣ）において使用され、いわゆるホットプラグ（hot plug）をサポートしていない。他の手法として、新型のテレビジョンチューナカードは、カードバス（Card Bus）・インターフェースを備えており、図１に示すように、主としてラップトップ型パーソナルコンピュータにおいて使用される。カードバス・インターフェースは、ホットプラグをサポートする。
【発明の開示】
【発明が解決しようとする課題】
【０００４】
しかしながら、カードバス・インターフェースは、信号を処理するためにハードウェア符号化方法を使用することから、より多くのハードウェアコンポーネントを必要とし、より高コストとなる。
【０００５】
図１に、従来のＡＶ信号送受信処理装置の回路ブロック図を示す。図１において、ＡＶ信号送受信処理装置１０は、ＡＶ符号化器（AV encoder）１８と、カードバス・インターフェース１３と、ビデオ復号器（video decoder）１１と、オーディオ復号器（audio decoder）１６と、チューナ１５と、マルチプレクサ１７と、オーディオアナログ・ディジタル変換器（analog-to-digital converter；以下、ＡＤＣという。）１２とを含む。ここで、オーディオ復号器１１は、フィリップス社製ＳＡＡ７１１３・デコーダを用いることができ、オーディオＡＤＣ１２は、ＡＫＭ５３５５・ＡＤ変換器を用いることができ、さらに、ＡＶ符号化器１８は、富士通社製ＭＢ８６３９３Ａ  Ｍｐｅｇ（Moving Picture Experts Group）２・エンコーダを用いることができる。さらにまた、チューナ１５は、ソニー社製のチューナを用いることができる。また、オーディオ復号器１６は、ＡＮ５８３３  ＳＡＰデコーダを用いることができる。
【０００６】
チューナ１５は、アナログテレビジョンＡＶ信号Ｔを受信し、アナログビデオ信号Ｖａ及びアナログオーディオ中間周波数信号Ａａを出力するように用いられる。ビデオ復号器１１は、アナログビデオ信号Ｖａを受信し、これに応じて、ディジタルビデオ信号ＶｄをＡＶ符号化器１８に対して出力するように用いられる。オーディオ復号器１６は、アナログオーディオ中間周波数信号Ａａを受信して復号するように用いられる。その後、オーディオ復号器１６は、アナログ右チャンネル・オーディオ信号ＡａＲ１及びアナログ左チャンネル・オーディオ信号ＡａＬ１をマルチプレクサ１７に対して出力する。
【０００７】
ビデオ復号器１１は、アナログＳビデオ信号Ｖａｓ又はアナログＶビデオ信号Ｖａｖのように、ビデオカセットレコーダ（video cassette recorder；ＶＣＲ）からアナログ信号を受信することができる。マルチプレクサ１７は、アナログＳビデオ信号Ｖａｓ及びアナログＶビデオ信号Ｖａｖにそれぞれ対応するアナログ右チャンネル・オーディオ信号ＡａＲ２及びアナログ左チャンネル・オーディオ信号ＡａＬ２をビデオカセットレコーダから受信することができる。ビデオ復号器１１は、アナログＳビデオ信号Ｖａｓ又はアナログＶビデオ信号Ｖａｖを受信し、これに応じて、ディジタルＳビデオ信号Ｖｄｓ又はディジタルＶビデオ信号Ｖｄｖを出力することができる。マルチプレクサ１７は、アナログ右チャンネル・オーディオ信号ＡａＲ１及びアナログ左チャンネル・オーディオ信号ＡａＬ１、又はアナログ右チャンネル・オーディオ信号ＡａＲ２及びアナログ左チャンネル・オーディオ信号ＡａＬ２に応じて、アナログ右チャンネル・オーディオ信号ＡａＲ及びアナログ左チャンネル・オーディオ信号ＡａＬを、オーディオＡＤＣ１２に対して出力する。オーディオＡＤＣ１２は、アナログ右チャンネル・オーディオ信号ＡａＲ及びアナログ左チャンネル・オーディオ信号ＡａＬを受信し、これに応じて、ディジタルオーディオ信号ＡｄをＡＶ符号化器１８に対して出力するように用いられる。
【０００８】
ＡＶ符号化器１８は、ディジタルビデオ信号Ｖｄ及びディジタルオーディオ信号Ａｄを受信して符号化し、これに応じて、例えばＭｐｅｇ２のＡＶ信号といったディジタルＡＶ信号Ｘを出力する。さらにまた、ＡＶ符号化器１８は、ディジタルオーディオ信号Ａｄ、ディジタルＳビデオ信号Ｖｄｓ、又はディジタルＶビデオ信号Ｖｄｖを受信して符号化し、これに応じて、例えば他のＭｐｅｇ２のＡＶ信号といった他のディジタルＡＶ信号Ｙを出力することができる。ＡＶ符号化器１８は、カードバス・インターフェース１３を介して、例えばラップトップ型コンピュータであるコンピュータ１４に対してディジタルＡＶ信号Ｘ又はディジタルＡＶ信号Ｙを転送する。このとき、コンピュータ１４は、ディジタルＡＶ信号Ｘ又はディジタルＡＶ信号Ｙを格納するか又は再生することができる。
【０００９】
上述した記載から、ＡＶ信号送受信処理装置１０が、アナログビデオ信号及びアナログオーディオ信号のような生データを、ディジタルＡＶ信号に符号化し、このディジタルＡＶ信号をコンピュータ１４に対して出力するために、ビデオ復号器１１、オーディオ復号器１６、オーディオＡＤＣ１２、及びＡＶ符号化器１８を含むいくつかのハードウェアコンポーネントを使用しなければならないことを知ることができる。しかしながら、必要とされるハードウェアコンポーネントの個数が多く、異なるコンポーネントのソースが異なることから、ＡＶ信号送受信処理装置１０は、そのコストが相対的に高くなってしまうという問題があった。
【００１０】
本発明は、このような実情に鑑みてなされたものであり、必要とされるハードウェアコンポーネントの個数を削減し、製造コストを低減することができるオーディオ・ビデオ信号送受信処理装置を提供することを目的とする。
【課題を解決するための手段】
【００１１】
受信したアナログビデオ信号及びアナログオーディオ信号をディジタルビデオ信号及びディジタルオーディオ信号に復号し、これら信号をコンピュータに対して出力する本発明のデザインは、ディジタルビデオ信号、ディジタルオーディオ信号、ディジタルオーディオ・ビデオ信号、及びディジタル放送信号のような生データについてのＰＣＭＣＩＡ（Personal Computer Memory Card International Association）、カードバス（Card Bus）、及び高速カードバス（Express Card Bus）の高いデータ送信能力と、ディジタルビデオ信号及びディジタルオーディオ信号をディジタルオーディオ・ビデオ信号に符号化するコンピュータの高い計算力とを十分に活用する。したがって、必要とされるハードウェアコンポーネントの個数は、削減され、これにより、製造コストが低減する。
【００１２】
具体的には、本発明は、オーディオ・ビデオ復号手段と、ブリッジと、ＰＣＭＣＩＡ、カードバス、又は高速カードバス・インターフェースであるバスインターフェースとを備えるオーディオ・ビデオ信号送受信処理装置を提供することにより、上述した目的を達成する。オーディオ・ビデオ復号手段は、アナログビデオ信号及び対応するアナログオーディオ信号を受信し、これに応じて、第１のディジタルビデオ信号及び対応する第１のディジタルオーディオ信号を出力するように用いられる。ブリッジは、第１のディジタルビデオ信号及び第１のディジタルオーディオ信号を受信し、バスインターフェース標準規格に準拠した第２のビデオ信号及び第２のオーディオ信号を、バスインターフェース標準規格に準拠したバスインターフェースを介してコンピュータに対して出力するように用いられる。
【００１３】
また、本発明は、ブリッジと、ＰＣＭＣＩＡ、カードバス、又は高速カードバス・インターフェースであるバスインターフェースとを備えるオーディオ・ビデオ信号送受信処理装置を提供することにより、他の目的を達成する。ブリッジは、第１のディジタルビデオ信号及び第１のディジタルオーディオ信号を受信し、これら受信した信号を、バスインターフェース標準規格に準拠した第２のディジタルビデオ信号及び第２のディジタルオーディオ信号に変換するように用いられる。そして、ブリッジは、第２のディジタルビデオ信号及び第２のディジタルオーディオ信号を、バスインターフェース標準規格に準拠したバスインターフェースを介してコンピュータに対して出力する。
【００１４】
さらに、本発明は、ブリッジと、ＰＣＭＣＩＡ、カードバス、又は高速カードバス・インターフェースであるバスインターフェースとを備えるオーディオ・ビデオ信号送受信処理装置を提供することにより、他の目的を達成する。ブリッジは、第１のディジタル放送信号を受信し、受信した信号を、バスインターフェース標準規格に準拠した第２のディジタル放送信号に変換するように用いられる。そして、ブリッジは、第２のディジタル放送信号を、バスインターフェース標準規格に準拠したバスインターフェースを介してコンピュータに対して出力する。
【発明の効果】
【００１５】
本発明にかかるオーディオ・ビデオ信号送受信処理装置は、必要とされるハードウェアコンポーネントの個数を削減し、製造コストを低減することができる。
【発明を実施するための最良の形態】
【００１６】
以下、本発明を適用した具体的な実施の形態について図面を参照しながら詳細に説明する。本発明の他の目的、特徴、及び利点は、好ましいものの限定されることはない具体例についての以下の詳細な記述から明らかとなるであろう。以下の記述は、添付した図面を参照してなされる。
【００１７】
図２に、本発明にしたがうオーディオ・ビデオ（audio-video；以下、ＡＶという。）信号送受信処理装置の具体例の回路ブロック図を示す。図２において、ＡＶ信号送受信処理装置２０は、オーディオ・ビデオ復号手段であるＡＶ復号器２１と、ブリッジ２２と、バスインターフェース２３と、チューナ２５，２６とを含む。この具体例において、バスインターフェース２３は、ＰＣＭＣＩＡ（Personal Computer Memory Card International Association）、カードバス（Card Bus）、又は高速カードバス（Express Card Bus）・インターフェースであり得る。
【００１８】
チューナ２５は、アンテナ又はケーブルからアナログテレビジョン信号Ｔを受信し、同調された場合にアナログビデオ信号Ｖａ及びアナログオーディオ信号Ａａを出力するように用いられる。チューナ２６は、アンテナ又はケーブルからアナログ周波数変調（frequency modulation；ＦＭ）放送信号Ｂを受信し、同調された場合にアナログ放送信号Ａａｂを出力するように用いられる。
【００１９】
ＡＶ復号器２１は、アナログ放送信号Ａａｂを受信し、これに応じて、ディジタル放送信号Ａｄｂをブリッジ２２に対して出力するように用いられる。さらにまた、ＡＶ復号器２１は、アナログビデオ信号Ｖａ及び対応するアナログオーディオ信号Ａａを受信し、これに応じて、ディジタルビデオ信号Ｖｄ及びディジタルオーディオ信号Ａｄをブリッジ２２に対して出力する。ここで、アナログオーディオ信号Ａａは、アナログ右チャンネル・オーディオ信号及びアナログ左チャンネル・オーディオ信号を含むことができる。１つの具体例において、ＡＶ復号器２１は、アナログオーディオ信号Ａａを、少なくともアナログ右チャンネル・オーディオ信号及びアナログ左チャンネル・オーディオ信号に復号することができる。続いて、ＡＶ復号器２１は、復号されたアナログ右チャンネル・オーディオ信号及びアナログ左チャンネル・オーディオ信号を、ディジタル左右チャンネル・オーディオ信号ＡｄＬＲに変換し、これをブリッジ２２に対して出力する。
【００２０】
ブリッジ２２は、ＡＶ復号器２１から出力されたディジタル放送信号Ａｄｂ、及び／又は、ディジタルビデオ信号Ｖｄ及び対応するディジタルオーディオ信号Ａｄを受信し、これら受信信号を、バスインターフェース２３のバスインターフェース標準規格に準拠したディジタル放送信号Ａｄｂ、及び／又は、バスインターフェース標準規格に準拠したディジタルビデオ信号Ｖｄ及びディジタルオーディオ信号Ａｄに変換し、バスインターフェース２３を介してコンピュータ２４に対して準拠した信号を出力するように用いられる。ここで、コンピュータ２４は、デスクトップ型コンピュータ、ノートブック型コンピュータ、ラップトップ型コンピュータ、又はハンドヘルド型コンピュータであり得る。特に、ノートブック型コンピュータが好適であり、ＰＣＭＣＩＡ、カードバス、又は高速カードバス・インターフェース標準規格のようなバスインターフェース標準規格についてのものが好適である。コンピュータ２４は、ディジタルビデオ信号Ｖｄ及び対応するディジタルオーディオ信号Ａｄを受信して符号化し、これに応じて、Ｍｐｅｇ（Moving Picture Experts Group）２  ＡＶ信号のようなディジタルＡＶ信号を出力する。このとき、コンピュータ２４は、符号化されたディジタルＡＶ信号を格納するか又は再生することができ、また、バスインターフェース２３からディジタル放送信号Ａｄｂを受信して格納するか又は再生することができる。
【００２１】
上述した記載は、信号ソースがアナログソースである場合における状況についてのものである。アナログ信号は、ＡＶ復号器２１によってディジタル信号に変換される必要がある。しかしながら、信号ソースが、ディジタルＡＶ信号Ｄ及び／又はディジタル放送信号Ｅのようなディジタルである場合には、ＡＶ復号器２１の復号は、必要とされない。したがって、ＡＶ信号送受信処理装置２０は、直接的にディジタルＡＶ信号Ｄ及び／又はディジタル放送信号Ｅを受信するためにブリッジ２２を用いる。ここで、ディジタルＡＶ信号Ｄは、トランスポートストリーム（transport stream；ＴＳ）ＡＶ信号、Ｍｐｅｇ２・ＡＶ信号、又は任意の圧縮されたディジタルＡＶ信号のような他のタイプのディジタル信号であり得る。ブリッジ２２は、受信したディジタルＡＶ信号Ｄ及び／又はディジタル放送信号Ｅを、バスインターフェース標準規格に準拠したディジタルＡＶ信号Ｄ及び／又はディジタル放送信号Ｅに変換し、そしてこれら信号を、バスインターフェース２３を介してコンピュータ２４に対して出力する。続いて、コンピュータ２４は、受信したディジタルＡＶ信号Ｄ及び／又はディジタル放送信号Ｅを格納するか又は再生することができる。
【００２２】
ＡＶ復号器２１は、ビデオゲームプレーヤ（video game player）、ディジタルカメラ、ディジタルビデオレコーダ（digital video recorder）、ビデオカセットレコーダ（video cassette recorder；ＶＣＲ）、ビデオコンパクトディスク（Video Compact Disk；ＶＣＤ）プレーヤ、又はディジタルバーサタイルディスク（Digital Versatile Disk；ＤＶＤ）プレーヤであり得るアナログＡＶ出力装置からアナログビデオ信号及び対応するアナログオーディオ信号を受信することができる。ここで、アナログＡＶ出力装置から出力されたアナログビデオ信号は、アナログＳビデオ信号Ｖａｓ又はアナログＶビデオ信号Ｖａｖあり得る。アナログＳビデオ信号Ｖａｓ又はアナログＶビデオ信号Ｖａｖに対応するアナログオーディオ信号は、アナログ右チャンネル・オーディオ信号ＡａＲ及びアナログ左チャンネル・オーディオ信号ＡａＬを少なくとも含む。ＡＶ復号器２１は、受信したアナログ右チャンネル・オーディオ信号ＡａＲ及びアナログ左チャンネル・オーディオ信号ＡａＬを復号し、これに応じて、ディジタル左右チャンネル・オーディオ信号ＡｄＬＲをブリッジ２２に対して出力する。さらにまた、ＡＶ復号器２１は、受信したアナログＳビデオ信号Ｖａｓ又はアナログＶビデオ信号Ｖａｖを復号し、これに応じて、ディジタルＳビデオ信号Ｖｄｓ又はディジタルＶビデオ信号Ｖｄｖをブリッジ２２に対して出力する。ブリッジ２２は、受信したディジタル左右チャンネル・オーディオ信号ＡｄＬＲ、ディジタルＳビデオ信号Ｖｄｓ、又はディジタルＶビデオ信号Ｖｄｖを、バスインターフェース２３のバスインターフェース標準規格に準拠した信号に変換し、この信号をバスインターフェース２３を介してコンピュータ２４に対して出力する。最後に、コンピュータ２４は、受信したディジタル左右チャンネル・オーディオ信号ＡｄＬＲ、ディジタルＳビデオ信号Ｖｄｓ、又はディジタルＶビデオ信号Ｖｄｖを処理した後に、格納するか又は再生することができる。
【００２３】
しかしながら、本発明の技術は、上述した記載が本発明を制限するものではないことを当該技術に熟練した者が知っているべきであると理解する。例えば、ＡＶ復号器２１は、さらに、ビデオ復号ユニットと、オーディオアナログ・ディジタル変換ユニット（analog-to-digital converting unit）とを含むことができる。ビデオ復号ユニットは、全てのアナログビデオ信号を受信して対応するディジタル信号をブリッジ２２に対して出力するように用いられる。また、オーディオアナログ・ディジタル変換ユニットは、全てのアナログオーディオ信号又はアナログ放送信号を受信して対応するディジタルオーディオ信号又はディジタル放送信号をブリッジ２２に対して出力するように用いられる。
【００２４】
ＰＣＭＣＩＡ、カードバス、又は高速カードバス・インターフェースのような本発明の具体例に用いたバスインターフェースの帯域幅は、大きく、その転送速度は、速い。そのため、バスインターフェース２３は、ディジタルビデオ信号、ディジタルオーディオ信号、ディジタルＡＶ信号、及びディジタル放送信号のような生データを、コンピュータ２４に対して送信ディレイなしで円滑に出力することができる。さらにまた、コンピュータ２４は、受信したディジタルビデオ信号及びディジタルオーディオ信号を、ディジタルＡＶ信号に圧縮して符号化するその計算能力を用いることができる。コンピュータ２４の高速計算能力は、十分に活用される。したがって、ＡＶ信号送受信処理装置２０は、そのハードウェアコンポーネントの個数を削減することができ、これにより、製造コストを低減することができる。
【００２５】
受信したアナログビデオ信号及びアナログオーディオ信号をディジタルビデオ信号及びディジタルオーディオ信号に復号し、これら信号をコンピュータに対して出力する上述した具体例に記述されたＡＶ信号送受信処理装置のデザインは、ＰＣＭＣＩＡ／カードバス／高速カードバス・インターフェースによる生データについての高速送信能力、及びディジタルビデオ信号／ディジタルオーディオ信号をディジタルＡＶ信号に圧縮して符号化するコンピュータの高い計算能力を十分に活用する。したがって、本発明のために必要とされるハードウェアコンポーネントの個数は、削減され、また、製造コストは、大幅に低減される。
【００２６】
本発明が、一例を介して、また好ましい具体例として記述されていた一方で、本発明は、これに限定されるものではないことは理解されるべきである。これに対して、様々な変形例並びに同様の配置及び処理を包含するように意図されるべきである。したがって、添付した特許請求の範囲は、そのような変形例並びに同様の配置及び処理を全て包含するために、最も広い解釈として与えられるべきである。
【図面の簡単な説明】
【００２７】
【図１】従来のオーディオ・ビデオ信号送受信処理装置の回路ブロック図である。
【図２】本発明の具体例にしたがうオーディオ・ビデオ信号送受信処理装置の回路ブロック図である。
【符号の説明】
【００２８】
２０  ＡＶ信号送受信処理装置
２１  ＡＶ復号器
２２  ブリッジ
２３  バスインターフェース
２４  コンピュータ
２５，２６  チューナ
Ａａ  アナログオーディオ信号
Ａａｂ  アナログ放送信号
ＡａＬ  アナログ左チャンネル・オーディオ信号
ＡａＲ  アナログ右チャンネル・オーディオ信号
Ａｄ  ディジタルオーディオ信号
Ａｄｂ  ディジタル放送信号
ＡｄＬＲ  ディジタル左右チャンネル・オーディオ信号
Ｂ  アナログ周波数変調放送信号
Ｄ  ディジタルＡＶ信号
Ｅ  ディジタル放送信号
Ｔ  アナログテレビジョン信号
Ｖａ  アナログビデオ信号
Ｖａｓ  アナログＳビデオ信号
Ｖａｖ  アナログＶビデオ信号
Ｖｄ  ディジタルビデオ信号
Ｖｄｓ  ディジタルＳビデオ信号
Ｖｄｖ  ディジタルＶビデオ信号
【図１】
2005236932.tif 000003
【図２】
2005236932.tif 000004